(57)【要約】    【課題】  先に立てられた線香があっても不便や不快を感じることなく使用可能な線香立てを提供すること。    【解決手段】  線香立て１は、線香を立てるための本体２と、本体２の下方に設ける灰受け体３とからなり、本体２に設けられた一または複数の線香収容部４の断面が、略楕円形状、略長方形状、または長手両端部が弧状である桿状といった長手方向を有する形状である。灰受け体３は本体２をその上に載置可能な受け皿である。線香収容部４の下端部は開口している。【選択図】  図１
2009018128.tif 000002
【特許請求の範囲】
【請求項１】
線香を立てるための本体と、該本体の下方に設ける灰受け体とからなる線香立てであって、該本体に設けられた一または複数の線香収容部の断面は長手方向を有する形状であることを特徴とする、線香立て。
【請求項２】
前記線香収容部の断面は、略楕円形状、略長方形状、または長手両端部が弧状である桿状のいずれかであることを特徴とする、請求項１に記載の線香立て。
【請求項３】
前記線香収容部の下端部は開口していることを特徴とする、請求項１または２に記載の線香立て。
【請求項４】
前記線香収容部は筒状をなして前記本体の基板上に設けられていることを特徴とする、請求項１ないし３のいずれかに記載の線香立て。
【請求項５】
前記線香収容部は、前記本体に設けられた凹部構造であることを特徴とする、請求項１ないし３のいずれかに記載の線香立て。
【請求項６】
前記灰受け体は前記本体をその上に載置可能な受け皿であることを特徴とする、請求項１ないし５のいずれかに記載の線香立て。
【請求項７】
前記本体には蝋燭立てが併せて設けられていることを特徴とする、請求項１ないし６のいずれかに記載の線香立て。
【請求項８】
墓用であることを特徴とする、請求項１ないし７のいずれかに記載の線香立て。
【発明の詳細な説明】
【技術分野】
【０００１】
本発明は墓用線香立てに係り、特に、先に立てられた線香がある場合でも不便を感じることなく線香を立てることのできる、墓用線香立てに関する。
【背景技術】
【０００２】
従来、墓地用の線香立てに関する考案については種々なされている。たとえば後掲特許文献１に記載のものは、線香が最後まで立ち消えせず、灰の処理に手間がかからない墓地用線香立ての提供を目的として、容器本体および上面に開口部を形成した蓋からなる１組の容器と、蓋上面の開口部に懸架した断熱性・耐熱性の筒状体と、容器本体内の筒状体の下部に配置したネット状のプレートとからなる構成を提案したものである。
【０００３】
また特許文献２に記載のものは、灰受け皿の洗浄作業が容易で、少数の線香でも直立して保持できる線香立ての提供を目的として、一面が開口した筒状部を有する外枠体と、筒状部に脱着自在に装着可能で、周囲に鍔部を有し底部に排水用の孔部を有する筒体からなる線香受け部とからなる構成を提案したものである。
【０００４】
【特許文献１】特開平１０−１４０８８１号公報「墓地用線香立て」
【特許文献２】実開平６−８３８６８号公報「屋外用線香立て」
【発明の開示】
【発明が解決しようとする課題】
【０００５】
さて、特に墓用のものを初めとして従来の線香立てに関しては、次のような問題がある。すなわち、先に立てられた線香があって後から線香を立てる場合、先の線香に点いている火のために熱い思いをして線香を立てなくてはならなかったり、それを避けるために立て方に不便を感じたり、ときには先の線香に点いている火により火傷を負うことがある、といった問題である。
【０００６】
上述のように、墓地用の線香立てに関しても種々の課題が把握・抽出され、その対応策が提案されてはいる。しかしながら、このような先に立てられた火の点いた線香による問題に対処したものは見受けられない。また、このような先に立てられた線香の火による不便や危険性は、墓用線香立てにおいて特に注目されるが、これに限らず家庭の仏壇用や葬儀場用の線香立てにおいても該当する問題である。
【０００７】
本発明が解決しようとする課題は、かかる問題に対処して、先に立てられた線香がある場合であっても不便や不快を感じることなく、また危険を生じることなく線香を立てることができる、墓用のものを初めとする線香立てを提供することである。
【課題を解決するための手段】
【０００８】
本願発明者は上記課題について検討した結果、線香立ての形状を工夫することに基づいて上記課題が解決可能であることを見出し、本発明に至った。すなわち、上記課題を解決するための手段として本願で特許請求される発明、もしくは少なくとも開示される発明は、以下の通りである。
【０００９】
（１）  線香を立てるための本体と、該本体の下方に設ける灰受け体とからなる線香立てであって、該本体に設けられた一または複数の線香収容部の断面は長手方向を有する形状であることを特徴とする、線香立て。
（２）  前記線香収容部の断面は、略楕円形状、略長方形状、または長手両端部が弧状である桿状のいずれかであることを特徴とする、（１）に記載の線香立て。
（３）  前記線香収容部の下端部は開口していることを特徴とする、（１）または（２）に記載の線香立て。
（４）  前記線香収容部は筒状をなして前記本体の基板上に設けられていることを特徴とする、（１）ないし（３）のいずれかに記載の線香立て。
（５）  前記線香収容部は、前記本体に設けられた凹部構造であることを特徴とする、（１）ないし（３）のいずれかに記載の線香立て。
【００１０】
（６）  前記灰受け体は前記本体をその上に載置可能な受け皿であることを特徴とする、（１）ないし（５）のいずれかに記載の線香立て。
（７）  前記本体には蝋燭立てが併せて設けられていることを特徴とする、（１）ないし（６）のいずれかに記載の線香立て。
（８）  墓用であることを特徴とする、（１）ないし（７）のいずれかに記載の線香立て。
【発明の効果】
【００１１】
本発明の線香立は上述のように構成されるため、これによれば、先に立てられた線香がある場合であっても不便や不快を感じることなく、また危険を生じることがない。つまり、先に立てられた線香があって後から線香を立てる場合であっても、先の線香に点いている火により熱い思いをせずにすむ。また、先の線香の火を敢えて避ける必要がないため、立て方に不便を感じることがない。もちろん、先の線香に点いている火によって火傷を負うこともない。
【００１２】
特に本発明は、墓用線香立てにおいてこれらの不便、不快、危険性を解消する効果が高いが、墓用のものに限らず、家庭の仏壇用や葬儀場用の線香立てにおいても同様に、これらの不便、不快、危険性が生じる可能性をなくするものである。
【発明を実施するための最良の形態】
【００１３】
以下、本発明を図面により詳細に説明する。
図１は、本発明線香立ての構成例を示す斜視図である。図示するように本線香立て１は、線香を立てるための本体２と、本体２の下方に設ける灰受け体３とからなり、本体２に設けられた一または複数の線香収容部４の断面が、長手方向を有する形状であることを、主たる構成とするものである。本体２と灰受け体３とは一体に形成されたものとしてもよい。しかしまた、灰受け体３は本体２をその上に載置可能な受け皿とするなど、それぞれが独立していて使用時に本体２が灰受け体３に載置される構成としてもよい。さらにまた、相互に着脱可能な構成としてもよい。
【００１４】
本発明で、線香収容部４における長手方向を有する形状とは、具体的には、略楕円形状、略長方形状、または長手両端部が弧状である桿状のいずれかである。図１始め後出各図ではこのうち、長手方向両端部が弧状の桿状のものについて例示されている。
【００１５】
図２は、図１の本発明線香立ての使用状態を示す斜視図である。図示するように本発明線香立て１は、上述の構成をとることにより、火を点けた線香９を線香立て１の線香収容部４に立てると、線香収容部４の断面が長手方向を有する形状であることにより、線香９は、他の方向には寄り掛かることなく長手方向のみに傾斜して、長手方向のいずれかの向きをとって、線香収容部４の上縁に寄り掛かって支持される。
【００１６】
本線香立て１において、たとえ異なる向きに線香を立てようとしても、結局は安定した位置である長手方向のいずれかの向きをとって、線香収容部４の上縁に寄り掛かることに落ち着く。ところで線香は、線香収容部４の長手方向の（図では前後の）いずれの向きにも傾斜し上縁に寄り掛かることができるが、本発明を効果的に用いるには、いずれか一方の向き（図では、後方にのみ）で線香を寄り掛からせることが望ましい。
【００１７】
なお、線香収容部４の内部には、予め線香を刺し立てるための灰や土などは特に設けない。線香９は、線香収容部４内に、立て掛けられるようにして立てられる。
【００１８】
線香９は線香収容部４の上縁に斜めに立て掛けられて支持されるため、線香９の先端から順次生じる灰は、線香収容部４の位置にくるまでは、線香収容部４の外側、つまり本体２上あるいは灰受け体３の上に落ちる。
【００１９】
従来の線香立てであれば、収容部の断面が円形であるなど長手方向がない形状であることにより、立てられる線香は様々な方向に向いたり、バラバラに向いたりするため、上述したような不便、不快、危険性が生じる。あるいはまた、従来の線香立てであれば、収容部中に予め灰や土などを入れておいて、そこに線香を立てることが通常であるが、その場合、線香はおおむね直立して立てられる。そうすると、後から線香を立てる際、狭い線香立ての中のわずかに空いている場所に、先に直立させて立てられた線香の火を気にしながら注意して立てなくてはならず、不便、不快、危険性が生じる。しかし、本発明の線香立て１は上述の構成をとることによって、かかる従来の問題を解決したものである。
【００２０】
図３は、図１の本発明線香立てのII−II矢視断面図である。図示するように本発明線香立て１の線香収容部４の下端部４Ｂは開口している構成とすることができる。かかる構成により、本体２と灰受け体３とがそれぞれ独立していて使用時に本体２が灰受け体３に載置される構成、あるいは相互に着脱可能な構成である場合は、線香収容部４の内部に灰や線香の燃え残りが一時的に溜まっても、本体２を灰受け体３から離すことによって、容易にこれらを除去処理でき、また線香収容部４内部、本体２、灰受け体３のいずれも容易に清掃することができる。
【００２１】
ここまで説明した本発明線香立て１は、線香収容部４が筒状をなして本体２の基板上に設けられている構成のものであるが、線香収容部をこれとは異なる構成とすることもできる。
図４は、本発明線香立ての別の構成例を示す斜視図である。図示するように本例線香立て４１では、線香収容部４４は、本体４２に設けられた凹部構造として形成されている。線香収容部４４の断面形状、本体４２と灰受け体４３の関係や、その他の構成および作用については、図１他で示した先の例と同様である。
【００２２】
図５は、蝋燭立てを併せ設けた本発明線香立ての構成例を示す斜視図である。本体５２上に、線香収容部５４の他に、蝋燭立て５６が併せて設けられた、取り付け、使用および清掃に便宜な構成である。
【産業上の利用可能性】
【００２３】
本発明の線香立は特に、墓用線香立てにおいて上述の不便、不快、危険性を解消する効果が高いが、これに限らず家庭の仏壇用その他にも適用でき、利用価値が高い発明である。
【図面の簡単な説明】
【００２４】
【図１】本発明線香立ての構成例を示す斜視図である。
【図２】図１の本発明線香立ての使用状態を示す斜視図である。
【図３】図１の本発明線香立てのII−II矢視断面図である。
【図４】本発明線香立ての別の構成例を示す斜視図である。
【図５】蝋燭立てを併せ設けた本発明線香立ての構成例を示す斜視図である。
【符号の説明】
【００２５】
１、４１…線香立て
２、４２、５２…本体
３、４３、５３…灰受け体
４、４４、５４…線香収容部
４Ｂ…線香収容部の下端部
５６…蝋燭立て
９、５９…線香
【図１】
2009018128.tif 000003
【図２】
2009018128.tif 000004
【図３】
2009018128.tif 000005
【図４】
2009018128.tif 000006
【図５】
2009018128.tif 000007